(57)【要約】      （修正有）【課題】高域限界周波数（Ｆｈ）を低くし不要な高域成分（ピーク）が生じるのを抑制する。【解決手段】スピーカー装置は、ボイスコイルボビン、振動板及びキャップを含む振動系と磁気回路系とを備えている。振動板は、第１固定部、メインコーン部、第２固定部、ドライブコーン部及び開口を有している。第１固定部は振動板の外周縁部側に設けられ、それはエッジに固定される。メインコーン部は、パラボリック形状をなし第１固定部と第２固定部との間、即ちドライブコーン部の外周部近傍に設けられている。第２固定部は、メインコーン部とドライブコーン部の略境界部分に設けられ、そこにはキャップの外周縁部が取り付けられる。ドライブコーン部は、カーブ形状又はストレート形状をなし第２固定部と開口の間に設けられる。ドライブコーン部の内周縁部がボイスコイルボビンの外周壁に取り付けられる。【選択図】図３
2006129032.tif 000002
【特許請求の範囲】
【請求項１】
ボイスコイルボビンに結合されるドライブ振動板部と、
前記ドライブ振動板部の外周に設けられた主振動板部と、
前記ドライブ振動板部と前記主振動板部の略境界部分に外周縁部が固定されたキャップと、を備えることを特徴とするスピーカー装置用振動板。
【請求項２】
前記ドライブ振動板部の断面は、当該ドライブ振動板を基準として放音側と逆側に中心を有する湾曲形状に形成されていることを特徴とする請求項１に記載のスピーカー装置用振動板。
【請求項３】
前記ドライブ振動板部は、断面がストレート形状に形成されていることを特徴とする請求項１に記載のスピーカー装置用振動板。
【請求項４】
前記主振動板部の断面は、パラボリック形状に形成されていることを特徴とする請求項１乃至３のいずれか一項に記載のスピーカー装置用振動板。
【請求項５】
前記主振動板部の断面は、前記ドライブ振動板部の放音側に中心を有する湾曲形状であることを特徴とする請求項４に記載のスピーカー装置用振動板。
【請求項６】
前記主振動板部には複数の凹部又は凸部が形成されていることを特徴とする請求項１乃至５のいずれか一項に記載のスピーカー装置用振動板。
【請求項７】
請求項１乃至６のいずれか一項に記載のスピーカー装置用振動板を備えることを特徴とするスピーカー装置。
【発明の詳細な説明】
【技術分野】
【０００１】
本発明は、スピーカー装置における振動板の構造に関する。
【背景技術】
【０００２】
従来より、コーン型振動板、ボイスコイルボビン及びセンターキャップを有する振動系と、ヨーク、マグネット及びプレートを有する磁気回路系とを備える外磁型のスピーカー装置が知られている。そのようなスピーカー装置では、例えばボイスコイルボビンの外周壁にそのコーン型振動板の内周部が取り付けられていると共に、フレームにその振動板の外周部が取り付けられている。
【０００３】
振動板の形状としては、断面が直線的ないわゆるストレート形状、断面が弓なりに屈曲したパラボリック形状又はパラカーブド形状などが知られている。内周及び外周の取付部より前方に頂部を持つ、弓なりに屈曲したパラカーブド形状の振動板を使用したスピーカー装置が例えば特許文献１に記載されている。
【０００４】
【特許文献１】特開平１１−３１３３９０号公報
【発明の開示】
【発明が解決しようとする課題】
【０００５】
ストレート形状のコーン型振動板を用いたスピーカー装置では、一般的に高域限界周波数（Ｆｈ）が高く且つその付近に不要な高域成分（ピーク）が生じてしまう。また、上記のパラカーブド形状のコーン型振動板を用いたスピーカー装置は、さらに高域限界周波数が高く、ウーファー、サブウーファーなどの低域再生用途には向かない。一方、パラボリック形状のコーン型振動板を用いたスピーカー装置は、高域限界周波数は最も低いが、その付近にさらに大きな高域成分のピークが生じてしまうという問題がある。
【０００６】
本発明が解決しようとする課題としては、上記のようなものが例として挙げられる。本発明は、高域限界周波数（Ｆｈ）を低くし且つその付近に不要な高域成分（ピーク）が生じるのを抑制することが可能なスピーカー装置用振動板及びスピーカー装置を提供することを課題とする。
【課題を解決するための手段】
【０００７】
請求項１に記載の発明は、スピーカー装置用振動板であって、ボイスコイルボビンに結合されるドライブ振動板部と、前記ドライブ振動板部の外周に設けられた主振動板部と、前記ドライブ振動板部と前記主振動板部の略境界部分に外周縁部が固定されたキャップと、を備えることを特徴とする。
【発明を実施するための最良の形態】
【０００８】
本発明の１つの実施形態では、スピーカー装置用振動板は、ボイスコイルボビンに結合されるドライブ振動板部と、前記ドライブ振動板部の外周に設けられた主振動板部と、前記ドライブ振動板部と前記主振動板部の略境界部分に外周縁部が固定されたキャップと、を備える。
【０００９】
上記のスピーカー装置用振動板は、ドライブ振動板部、主振動板部及びキャップを備え、キャップの外周縁部はドライブ振動板部と主振動板部の境界部分に固定されている。これにより、上記のスピーカー装置は、ドライブ振動板部と主振動板部の組み合わせにより規定される音響特性を有することになる。よって、ドライブ振動板部と主振動板部の形状を適切に設定することにより、高域限界周波数Ｆｈを低くすることができ、且つその付近に不要な高域成分（ピーク）が生じるのを抑制することができる。
【００１０】
好適な例では、ドライブ振動板部は、当該ドライブ振動板を基準として放音側と逆側に中心を有する湾曲形状カーブ形状又はストレート形状に形成することができる。また、主振動板部は、パラボリック形状とすることができ、特にドライブ振動板部の放音側に中心を有する湾曲形状に形成することができる。
【００１１】
一般的なコーン型振動板として、パラボリック形状、ストレート形状、又はパラカーブ形状を有するコーン型振動板が知られている。バラボリック形状を有する振動板を適用したスピーカー装置は、高域限界周波数（Ｆｈ）は低いが、その付近に不要な高域成分（ピーク）が生じてしまうという特性を有している。また、ストレート形状を有する振動板を適用したスピーカー装置は、パラボリック形状を有する振動板に比較して高域限界周波数Ｆｈ付近に生じるピークが小さいという特性を有している。一方、パラカーブ形状を有する振動板を適用したスピーカー装置は、高域限界周波数Ｆｈ付近までフラットな特性が得られるのが利点であるが、その分高域限界周波数Ｆｈが高くなってしまうという特性を有している。
【００１２】
このため、上記のスピーカー装置用振動板では、その内周部側をパラカーブ形状又はストレート形状を有するドライブ振動板部とし、その外周部側をパラボリック形状を有する主振動板部とし、そのドライブ振動板部と主振動板部の略境界部分にキャップを取り付けた構造とした。これにより、パラカーブ形状又はストレート形状と、パラボリック形状を組み合わせた音響特性を得ることができる。即ち、高域限界周波数が低いというパラボリック形状の特徴と、高域限界周波数付近のピークが小さいというパラカーブ形状又はストレート形状の組み合わせにより、高域限界周波数Ｆｈを低くするとともにその付近に不要な高域成分（ピーク）が生じるのを抑制することができる。
【００１３】
上記のスピーカー用振動板の一態様では、主振動板部には複数の凹部又は凸部が形成される。これにより、スピーカー装置用振動板の強度を向上することができる。また、上記のスピーカー用振動板を備えたスピーカー装置を構成することができる。
【実施例】
【００１４】
以下、図面を参照して本発明の好適な実施例について説明する。本実施例は、振動板を所定の構造にすることにより、高域限界周波数（Ｆｈ）を低くし且つその付近に不要な高域成分（ピーク）が生じるのを抑制する。
【００１５】
[スピーカー装置の構成]
図１に、本発明の実施例に係るスピーカー装置１００の概略構成を模式的に示す。スピーカー装置１００は車載用スピーカーとして好適に用いることができる。図１は、スピーカー装置１００の中心軸を通る平面で切断したときの断面図を示している。以下、本実施例のスピーカー装置１００の構成等について説明する。
【００１６】
スピーカー装置１００は、図１に示すように、主として、ヨーク１、マグネット２及びプレート３を有する磁気回路系２０と、フレーム４、ダンパー６、ボイスコイルボビン７、ボイスコイル８、振動板９、エッジ１０及びキャップ１１を有する振動系３０と、その他各種の部材として複数の端子部材５及び錦糸線１２と、を備えている。
【００１７】
まず、磁気回路系２０の各構成要素について説明する。
【００１８】
磁気回路系２０は、外磁型の磁気回路として構成されている。ヨーク１は、略円筒状の形状をなすポール部１ａ及びその外周壁の下端部から外側に延び出るフランジ部１ｂを有している。フランジ部１ｂの内周部の上面には、突起部１ｂａが形成されている。この突起部１ｂａは、後述のマグネット２をフランジ部１ｂ上の適正位置に位置決めする機能を有している。環状のマグネット２は、ヨーク１の突起部１ｂａによりフランジ部１ｂ上の適正位置に位置決めされた状態で、そのフランジ部１ｂ上に固着している。環状のプレート３は、環状のマグネット２上に固着している。また、環状のプレート３の上面には、突起部３ａが複数形成されている。各突起部３ａは、環状のプレート３の周方向に且つ適宜の間隔をおいて形成されている。この複数の突起部３ａは、後述するフレーム４の第１平坦部４ａを環状のプレート３上の適正位置に位置決め及び保持する機能を有している。磁気回路系２０では、マグネット２及びプレート３により磁気回路を構成し、プレート３の内周壁とポール部１ａの外周壁との間に形成される磁気ギャップ１６にマグネット２の磁束を集中させている。
【００１９】
次に、振動系３０の各構成要素について説明する。
【００２０】
フレーム４にはスピーカー装置１００の様々な構成要素が固定され、フレーム４はその構成要素を支持する役目を担う。フレーム４は、第１平坦部４ａ、第２平坦部４ｂ及び第３平坦部４ｃを有しており、それらの上面には平坦性が確保されている。第１平坦部４ａは、その周方向に且つ適宜の間隔をおいて複数の開口４ａｂを有し、フレーム４の下側の位置に形成されている。各開口４ａｂ内には、対応するプレート３の各突起部３ａが挿入されていると共に、その各突起部３ａの上部側はカシメられている。これにより、第１平坦部４ａは環状のプレート３上の適正位置に位置決めされた状態で、環状のプレート３上に固定されている。第２平坦部４ｂは、フレーム４の略中央の位置に形成されている。第２平坦部４ｂの上面には、ダンパー６の外周縁部が取り付けられる。第３平坦部４ｃは、フレーム４の上側の位置に形成されている。第３平坦部４ｃの上面には、後述するエッジ１０の外周縁部が取り付けられる。
【００２１】
ボイスコイルボビン７は、略円筒状の形状をなしている。ボイスコイルボビン７の外周壁の下端部近傍には、後述するボイスコイル８が巻かれている。また、ボイスコイルボビン７の外周壁の下端部近傍は、環状のマグネット２及びプレート３の各内周壁と一定の間隔を隔てて対向している。一方、ボイスコイルボビン７の内周壁の下端部近傍は、ヨーク１の要素となるポール部１ａの外周壁と一定の間隔を隔てて対向している。そして、ポール部１ａの外周壁と、プレート３の内周壁との間に空隙（磁気ギャップ１６）が形成されている。
【００２２】
ボイスコイル８は、１組のプラス/マイナスのリード線（図示略）を有している。プラス側のリード線はＬ（又はＲ）チャンネル信号の入力配線であり、マイナス側のリード線はグランド（ＧＮＤ：接地）信号の入力配線である。各リード線は、後述する振動板９の前方側（放音側）に引き出された各錦糸線１２の一端側と電気的に接続されていると共に、各錦糸線１２の他端側は、フレーム４の第２平坦部４ｂ上に位置する各端子部材５の一端側に電気的に接続されている。また、各端子部材５の他端側は、アンプ側の各入力配線に電気的に接続されている。このため、ボイスコイル８には、各端子部材５及び各錦糸線１２及び各リード線等を介して、アンプ側から１チャンネル分の電気信号が入力される。
【００２３】
ダンパー６は、環状の形状をなし、同心円状に波型が形成された弾性部を有している。ダンパー６の外周縁部は、フレーム４の第２平坦部４ｂ上に固着している一方、ダンパー６の内周縁部は、ボイスコイルボビン７の外周壁に固着している。
【００２４】
振動板９には、各種の用途に応じ、紙系、高分子系、金属系などの各種の材料を適用することができる。図２に、本発明の特徴をなす振動板９の構成を示す。図２（ａ）は、図１における上方から矢印Ｙ１と逆方向に観察したときの振動板９の平面図を示す。図２（ｂ）は、図２（ａ）における中心点Ｏを通る切断線Ａ−Ａ’に沿った振動板９の断面図を示す。また、図３に、図１の破線領域Ｅ１に対応する部分断面図を示す。図３において、中心軸Ｌ１は、振動板９の中心点Ｏを通る直線である。なお、図３では、便宜上、フレーム４の図示は省略している。
【００２５】
図２に示すように、振動板９は、いわゆるコーン状の形状をなしている。振動板９は、第１固定部９ａ、主振動板部９ｂ（以下、「メインコーン部９ｂ」と称する）、第２固定部９ｃ、ドライブ振動板部９ｄ（以下、「ドライブコーン部９ｄ」と称する）及び開口９ｅを有し、それらの各要素は一体的に形成されている。
【００２６】
第１固定部９ａは、振動板９の外周縁部側に位置している。第１固定部９ａ上には、図３に示すように、エッジ１０の内周縁部が固定される。
【００２７】
メインコーン部９ｂは、第１固定部９ａと第２固定部９ｃの間に位置している。換言すれば、メインコーン部９ｂは、後述するドライブコーン部９ｄの外周に設けられている。メインコーン部９ｂは、図２及び図３に示すように、断面が湾曲形状をなし、その湾曲形状の中心点が矢印Ｙ２方向、換言すれば振動板９の放音側にある。このため、メインコーン部９ｂは、いわゆるパラボリック形状をなしている。
【００２８】
第２固定部９ｃは、破線領域Ｅ２に示すように、メインコーン部９ｂとドライブコーン部９ｄの略境界部分に位置している。また、第２固定部９ｃは、メインコーン部９ｂとドライブコーン部９ｄとが切り換わる切り換わり部分（変化部分）としての機能を有している。第２固定部９ｃには、図３に示すように、キャップ１１の外周縁部が取り付けられる。このため、第２固定部９ｃは当該キャップ１１を支持する機能を有している。
【００２９】
ドライブコーン部９ｄは、第２固定部９ｃと開口９ｅの間に位置している。ドライブコーン部９ｄは、図２及び図３に示すように、湾曲形状をなし、その湾曲形状の中心点が矢印Ｙ３方向、換言すれば振動板９を基準として放音側と逆側にある。このため、ドライブコーン部９ｄは、いわゆるパラカーブド形状（単に「カーブド形状」とも呼ばれる）をなしている。ドライブコーン部９ｄの内周縁部は、ボイスコイルボビン７の外周壁に結合される。
【００３０】
開口９ｅは、ドライブコーン部９ｄの内周部側に形成されている。開口９ｅは、ボイスコイルボビン７の外径より若干大きく形成されており、図３に示すように、その開口９ｅにはボイスコイルボビン７が挿入される。
【００３１】
以上の構成を有する振動板９では、特に、第２固定部９ｃを基準として、その外側にメインコーン部９ｂが、その内側にドライブコーン部９ｄが夫々形成されている点に特徴を有している。そして、その振動板９の内周縁部は、図１及び図３に示すように、ダンパー６の内周縁部近傍に且つボイスコイルボビン７の外周壁の上端近傍に取り付けられる。
【００３２】
エッジ１０は、略半円状の断面形状をなしている。エッジ１０の内周縁部は振動板９の第１固定部９ａ上に固定されていると共に、エッジ１０の外周縁部はフレーム４の第３平坦部４ｃ上に固定されている。
【００３３】
キャップ１１は、平面視すると略円形形状（図示略）をなし、断面視するとボイスコイルボビン７の上面側に凸に湾曲した形状（図１及び図３を参照）をなしている。キャップ１１の外周縁部は、図１及び図３に示すように、接着剤等を介して振動板９の第２固定部９ｃに取り付けられている。このため、振動板９のドライブコーン部９ｄ及びボイスコイルボビン７の上面は、図１及び図３に示すように、キャップ１１によって覆われている。これにより、キャップ１１は、粉塵や異物などがスピーカー装置１００の内部へ侵入するのを防止する機能を有している。
【００３４】
以上に述べたスピーカー装置１００において、アンプ側から出力された電気信号は、各端子部５、各錦糸線１２及び各リード線を介してボイスコイル８へ出力される。これにより、磁気ギャップ１６内でボイスコイル８に駆動力が発生し、振動板９をスピーカー装置１００の軸方向に振動させる。こうして、スピーカー装置１００は、矢印Ｙ１方向に音波を放射する。
【００３５】
次に、図４を参照して、上記した本発明の振動板９を有するスピーカー装置１００の音響特性について説明する。図４は、スピーカー装置１００の音響特性の測定例を示すグラフであり、縦軸に音圧レベル（ＳＰＬ：Sound Pressure Level）を、横軸に周波数（Ｈｚ）を夫々示す。図４に示すように、このスピーカー装置１００では、約６０Ｈｚ〜約５５０Ｈｚの帯域において、ほぼフラットな音圧レベルが得られている。その音圧レベルは、約８２（ｄＢ）程度となっている。特に、このスピーカー装置１００において、高域限界周波数Ｆｈは約５５０Ｈｚになっていると共に、その高域限界周波数Ｆｈの音圧レベルは約８５（ｄＢ）程度となっている。なお、高域限界周波数Ｆｈとは、ボイスコイルボビン７等の振動が振動板９側へ伝達されなくなる周波数をいう。
【００３６】
次に、図４乃至図６を参照して、比較例に係るスピーカー装置と比較した、本発明の振動板９を有するスピーカー装置１００の特有の作用効果について説明する。図５は、図３に対応する比較例のスピーカー装置の部分断面図を示す。図６は、比較例に係るスピーカー装置の音響特性のグラフを示す。なお、図６のグラフは、本発明と同一の条件下にて測定したグラフである。
【００３７】
まず、図５を参照して、比較例に係るスピーカー装置の構成について説明する。なお、以下において、本発明と同一の要素については同一の符号を付し、その説明は省略する。
【００３８】
図３及び図５を参照して理解されるように、比較例に係るスピーカー装置と本発明のスピーカー装置１００と比較すると、振動板９１の形状が異なっている。振動板９１は、図５に示すように、コーン形状をなし、第１固定部９１ａ、ストレートコーン部９１ｂ、及び開口９１ｅを有している。即ち、比較例に係る振動板９１は、いわゆるストレート型のコーン形状をなしている。
【００３９】
以上の構成を有する振動板９１において、その内周縁部は、ダンパー６の内周縁部近傍に且つボイスコイルボビン７の外周壁に取り付けられている。また、振動板９１の第１固定部９１上には、エッジ１０の内周縁部が取り付けられていると共に、振動板９１のストレートコーン部９１ｂには、キャップ２１の外周縁部が取り付けられている。
【００４０】
次に、図６を参照して、振動板９１等を有する比較例に係るスピーカー装置の音響特性について説明する。図６は、比較例に係るスピーカー装置の音響特性の測定例を示すグラフであり、縦軸に音圧レベル（ＳＰＬ）を、横軸に周波数（Ｈｚ）を夫々示す。図６に示すように、比較例に係るスピーカー装置では、約６０Ｈｚ〜約６９８Ｈｚの帯域において、ほぼフラットな音圧レベルが得られている。その音圧レベルは、本発明と同様に約８２（ｄＢ）となっている。特に、この比較例に係るスピーカー装置において、高域限界周波数Ｆｈは約９００Ｈｚになっていると共に、その高域限界周波数Ｆｈの音圧レベルは、本発明と同様に約８８（ｄＢ）程度となっている。
【００４１】
このように、比較例に係るスピーカー装置の高域限界周波数Ｆｈは約９００Ｈｚとなっているのに対し、本発明のスピーカー装置１００の高域限界周波数Ｆｈは約５５０Ｈｚとなっている。よって、本発明のスピーカー装置１００は、高域限界周波数Ｆｈが比較例と比べて極めて小さくなっている。また、比較例及び本発明では、図６の破線領域Ｅ６及び図４の破線領域Ｅ５に示されるように、それぞれ高域限界周波数Ｆｈ付近において、不要な高域成分となるピークが生じている。それらの各ピークの大きさを比較して理解されるように、本発明のスピーカー装置１００は、比較例に比べて不要な高域成分となるピークの大きさが小さくなっている。以上のように、本発明の特徴を有する振動板９をスピーカー装置に適用することにより、高域限界周波数Ｆｈを低くすることができ、且つその付近に不要な高域成分（ピーク）が生じるのを抑制できる。
【００４２】
ここで、図７を参照して、この理由について説明する。図７（ａ）、（ｂ）及び（ｃ）は、周知のパラボリック型コーン振動板５０、ストレート型コーン振動板５１及びパラカーブド型コーン振動板５２の断面図を夫々示す。図７（ｃ）は、それらの各振動板を有するスピーカー装置の音響特性の測定例を夫々示すグラフである。図７（ｃ）において、グラフＷ１はパラボリック型コーン振動板５０に対応する音響特性を、グラフＷ２はストレート型コーン振動板５１に対応する音響特性を、グラフＷ３はパラカーブド型コーン振動板５２に対応する音響特性を夫々示す。
【００４３】
図７（ｃ）のグラフＷ１乃至Ｗ３を参照して理解されるように、パラボリック型コーン振動板５０を用いたスピーカー装置は高域限界周波数Ｆｈが低くなっている。しかし、この振動板は、高域限界周波数Ｆｈ付近において、大きなピークが生じてしまうという欠点を有している。また、ストレート型コーン振動板５１は、パラボリック型コーン振動板５０に比較して、高域限界周波数Ｆｈ付近において生じるピークが小さくなっている。さらに、パラカーブド型コーン振動板５２を用いたスピーカー装置では、ピークが殆ど生じることなく高音域までフラットな音響特性が得られている。
【００４４】
本発明の振動板９は、そのような各振動板の特性の利点を取り入れるように構成している。即ち、パラボリック型コーン振動板５０は高域限界周波数Ｆｈが低いが、その付近に生じるピークが大きい。一方、パラカーブド型コーン振動板５２は高域限界周波数Ｆｈは高いが、その付近に生じるピークが小さい。このため、本発明の振動板９では、両者を組み合わせてコーン型振動板を構成している。即ち、本発明の振動板９では、メインコーン部９ｂをパラボリック形状にするとともに、ドライブコーン部９ｄをパラカーブド形状にしている。そして、メインコーン部９ｂとドライブコーン部９ｄとの略境界部分（第２固定部９ｃ）に、上記したようにキャップ１１の外周縁部が取り付けられる。このような構成により、高域限界周波数Ｆｈを低くするとともに、その付近に不要な高域成分（ピーク）が生じるのを抑制できる。
【００４５】
なお、スピーカーシステムでは、一般的に、アンプ又はヘッドユニットと、スピーカー装置との間にローパスフィルター（ＬＰＦ）が設けられる。これにより、アンプ等からスピーカー装置側へ入力される不要な高域成分に対応する電気信号等がカットされる。しかし、このようなＬＰＦをスピーカーシステムに設けたとしても、スピーカー装置駆動時に振動板の形状に基づいて生じる不要な高域成分までも除去することはできない。つまり、振動板の形状を工夫しなければ、振動板から生じる不要な高域成分（ピーク）は除去することができない。よって、振動板の形状に基づいて生じる不要な高域成分（ピーク）を除去するためには上記した振動板９の構成が有効である。
【００４６】
[変形例]
上記の実施例では、ドライブコーン部９ｄをパラカーブド形状にした。本発明では、これに代えて、そのドライブコーン部９ｄをストレート形状にしてもよい。
【００４７】
また、上記の実施例では、ボイスコイルボビン７側に凸に湾曲する形状を有するキャップ１１をスピーカー装置１００に適用した。これに限らず、本発明では、ボイスコイルボビン７と逆側、即ち放音側に凸に湾曲する形状を有するキャップをスピーカー装置１００に適用しても構わない。これらの構成でも、上記した本発明の作用効果を得ることができる。
【００４８】
さらに、本発明では、メインコーン部９ｂに複数の凹部を形成しても構わない。これにより、振動板９の強度を向上させることができる。図８（ａ）は、メインコーン部９ｂに複数の凹部が形成された振動板９の平面図を示す。図８（ｂ）は、図８（ａ）における切断線Ｂ−Ｂ’に沿った振動板９の断面図を示す。なお、図８（ａ）及び（ｂ）は、それぞれ図２（ａ）及び（ｂ）に対応している。図８に示すように、振動板９のメインコーン部９ｂの上面には、その周方向に沿って且つ適宜の間隔をおいて、複数の凹部９ｆが形成されている。また、そのような複数の凹部９ｆに代えて、複数の凸部（図示略）をメインコーン部９ｂの上面に形成しても構わない。これによっても、振動板９の強度を向上させることができる。
【図面の簡単な説明】
【００４９】
【図１】本発明の実施例に係るスピーカー装置の断面図。
【図２】本実施例に係る振動板の構成を示す平面図及び断面図。
【図３】本実施例に係る振動板と他の要素との取り付け構造を示す部分断面図。
【図４】本実施例に係る振動板を有するスピーカー装置の音響特性を示すグラフ。
【図５】比較例に係る振動板と他の要素との取り付け構造を示す部分断面図。
【図６】比較例に係る振動板を有するスピーカー装置の音響特性を示すグラフ。
【図７】各種形状を有するコーン型振動板の構成及びその音響特性を示すグラフ。
【図８】変形例に係る振動板の構成を示す平面図及び断面図。
【符号の説明】
【００５０】
９  振動板
９ａ  第１固定部
９ｂ  メインコーン部
９ｃ  第２固定部
９ｄ  ドライブコーン部
９ｅ  開口
１１  キャップ
２０  磁気回路系
３０  振動系
１００  スピーカー装置
【図１】
2006129032.tif 000003
【図２】
2006129032.tif 000004
【図３】
2006129032.tif 000005
【図４】
2006129032.tif 000006
【図５】
2006129032.tif 000007
【図６】
2006129032.tif 000008
【図７】
2006129032.tif 000009
【図８】
2006129032.tif 000010